(57)【要約】【課題】輝度を向上して照明効率を向上させるとともに、斜め方向からの観察時の輝度ムラを低減することのできるバックライト及び液晶表示装置を提供する。【解決手段】液晶パネル２の直下に配して液晶パネル２を照明する直下型のバックライト３を有する液晶表示装置１において、所定間隔で配された複数の柱状の光源４と、光源４の出射光を反射して被照明体に導く反射板５と、光源４と液晶パネル２との間に配されるとともにレンズアレイ８ａから成る基板８と、基板８と液晶パネル２との間に配されて拡散物体から成る拡散シート７とを備えた。【選択図】　　　図１
2004006256.tif 000002
【特許請求の範囲】
【請求項１】
被照明体に対峙して配置される光源と、前記光源と前記被照明体との間に配されるとともにレンズアレイを有する透光性の基板と、前記基板と前記被照明体との間に配されて光を拡散する拡散シートとを備えたことを特徴とするバックライト。
【請求項２】
前記拡散シートのヘイズ値を７０％以上にしたことを特徴とする請求項１に記載のバックライト。
【請求項３】
前記レンズアレイはレンティキュラーレンズまたは半球レンズを配列して成ることを特徴とする請求項１または請求項２に記載のバックライト。
【請求項４】
前記基板の被照明体側の面に前記レンズアレイを形成するとともに、前記光源側の面を非光沢面にしたことを特徴とする請求項１〜請求項３のいずれかに記載のバックライト。
【請求項５】
前記基板の両面に前記レンズアレイを設けたことを特徴とする請求項１〜請求項３のいずれかに記載のバックライト。
【請求項６】
前記基板の厚みを１ｍｍ以上にしたことを特徴とする請求項１〜請求項５のいずれかに記載のバックライト。
【請求項７】
請求項１〜請求項６のいずれかに記載のバックライトを液晶パネルから成る被照明体の受光面に前記光源が対峙するように配置したことを特徴とする液晶表示装置。
【発明の詳細な説明】
【０００１】
【発明の属する技術分野】
本発明は、液晶パネル等の表示素子に対峙する光源により照明を行う直下型のバックライト及びそれを用いた液晶表示装置に関する。
【０００２】
【従来の技術】
液晶表示装置は液晶パネルの背面に配されたバックライトにより液晶パネルを照明して画像を形成する。カーナビゲーションシステムやノート型パーソナルコンピュータ等に使用される小型の液晶表示装置には導光板を用いたサイドライト型のバックライトが用いられる。このバックライトは液晶パネルに対面した導光板を設け、導光板の側方に配された蛍光管等から成る光源の出射光を導光板により液晶パネルに導いて照明する。
【０００３】
しかし、約２０インチ以上のディスプレイに使用される大型の液晶表示装置は照明面積が増加するため、蛍光管の数量を増加させて高輝度化する必要がある。導光板の端面に近接して多くの蛍光管を配置すると、導光板端面の温度が著しく上昇して照明効率が低下する。このため、大型の液晶表示装置には液晶パネルに対峙して複数の蛍光管を平行に配した直下型のバックライトが用いられる。
【０００４】
図２１は従来の直下型のバックライトを有する液晶表示装置を示す概略側面図である。液晶表示装置１は液晶パネル２の背面側にバックライト３を配して構成されている。バックライト３は光源４、反射板５、拡散板６及び拡散シート７を有している。光源４は所定周期で配された複数の柱状の蛍光管４ａから成っている。反射板５は光源４の背面側に配され、光源４の出射光を反射して液晶パネル２に導く。
【０００５】
拡散板６は不透明な樹脂等から成る拡散物体により形成され、光源４の出射光を拡散して透過する。拡散板６の内部には均一に硫酸バリウムや酸化チタン等の透過率の低い遮光物質６ａが練り込まれ、光源４に対向する部分にドット状の遮光印刷（不図示）を施して透過光量を低減して出射光の輝度分布を均一化するようになっている。拡散シート７は拡散材を有する透光性の樹脂製シートから成り、拡散板６の透過光を更に拡散する。
【０００６】
図２２、図２３、図２４はそれぞれ拡散シート７を省いた状態と、２種の拡散シート７をそれぞれ設置した状態のバックライト３の出射光の輝度分布を示している。縦軸は輝度比（単位：％）を示し、横軸は蛍光管４ａの周期方向の位置（単位：ｍｍ）を示している。
【０００７】
尚、液晶パネル２のサイズは２０インチであり、これに対応したサイズのバックライト３を使用して８本の蛍光管４ａ（スタンレー（株）製、外径２６ｍｍ）を周期ａ＝３８ｍｍで配置している。また、反射シート５は東レ（株）製ルミラー（Ｒ）Ｅ６０Ｌを用いて拡散板６との距離ｂを１６ｍｍにしている。
【０００８】
図２３における拡散シート７は、（株）きもと製ライトアップ（Ｒ）１００ＰＢＳを用いている。図２４における拡散シート７は、更にその上方に恵和商工（株）製オパルス（Ｒ）＃１００−ＫＢＳＩＩを配置している。
【０００９】
これらの図によると、拡散シート７を配していない状態（図２２）では蛍光管４ａの周期で大きな輝度ムラが発生しているが、拡散シート７を配することによって輝度ムラが低減されている（図２３、図２４）。これにより、液晶パネル２の表示画像を鮮明に視認できるようになっている。
【００１０】
しかしながら上記の液晶表示装置１によると、拡散板６が不透明であるため透過光が拡散板６内の粒子により反射屈折を繰り返して光強度が減衰する。また、遮光印刷により光の一部が遮光されるため全体の輝度が低下する。これらによりバックライト３の照明効率が低下する。更に、遮光印刷が所定周期で形成されるため、斜め方向から観察すると遮光印刷と蛍光管４ａとの位置がずれて輝度ムラが発生する問題があった。
【００１１】
特許文献１〜３には、拡散板６に替えて所定の頂角のプリズムが所定周期で形成されるプリズム板を備えたバックライトが開示されている。これにより、プリズムの屈折によって出射光を拡散するとともに透過光量の減少を防止して出射光の輝度を向上できるようになっている。
【００１２】
また、特許文献４には光源を挟んで一方にフレネルレンズを設けるとともに、他方に設けられた反射板を放物面に形成したバックライトが開示されている。このバックライトは反射板の焦点に光源を配置して、光源の直接光及び反射板の平行光から成る反射光を所定の角度範囲に集光する。これにより、出射光を拡散するとともに透過光量の減少を防止して出射光の輝度を向上できるようになっている。
【００１３】
一方、特許文献５には被照明体に対峙する導光板の側面に臨む光源を有するサイドライト型のバックライトが開示されている。このバックライトは導光板と被照明体との間にレンティキュラーレンズ等のレンズを配列したレンズシートが設けられている。これにより、レンズシートによって出射光を拡散するとともに透過光量の減少を防止して出射光の輝度を向上できるようになっている。
【００１４】
【特許文献１】
特開２００１−２０２８１４号公報（第３頁〜第４頁、第１図）
【特許文献２】
特開平５−３３３３３３号公報（第２頁〜第４頁、第１図）
【特許文献３】
特開平６−２５０１７８号公報（第２頁〜第４頁、第２図）
【特許文献４】
特開平５−６１０４３号公報（第２頁〜第３頁、第１図）
【特許文献５】
特開２００１−３５２２３号公報（第２頁〜第３頁、第１図）
【００１５】
【発明が解決しようとする課題】
しかしながら、特許文献１〜３に開示されたバックライトによると、斜め方向から観察した場合に光源から出射された光はプリズムで屈折せずに観察者に捉えられる。このため、斜め方向からの観察時の輝度ムラを尚、改善することができない問題があった。
【００１６】
また、特許文献４に開示されたバックライトによると、大型の液晶表示装置を照明するために複数の光源を用いると、各光源に対応した反射板及びフレネルレンズが必要となる。このため、反射板及びフレネルレンズの形状が複雑になる問題がある。
【００１７】
特許文献５に開示されたバックライトによると、光源の出射光を導光板により導波するために、空気層を介してレンズシートと導光板とが配置される。このため、導光板を透過する光は導光板と空気層との界面や空気層とレンズシートとの界面で屈折や反射され、光強度が減衰して照明効率が悪くなる問題があった。
【００１８】
本発明は、照明効率を向上させるとともに、斜め方向からの観察時の輝度ムラを低減することのできるバックライト及び液晶表示装置を提供することを目的とする。
【００１９】
【課題を解決するための手段】
上記目的を達成するために本発明は、被照明体に対峙して配置される光源と、前記光源と前記被照明体との間に配されるとともにレンズアレイを有する透光性の基板と、前記基板と前記被照明体との間に配されて光を拡散する拡散シートとを備えたことを特徴としている。
【００２０】
この構成によると、蛍光管等を並設した光源から照明光が出射される。照明光は透光性の基板を透過して、レンズアレイによってレンズアレイの周期毎に集光した後、拡散される。その後、拡散シートによって更に照明光が拡散して被照明体に照射される。レンズアレイは半球レンズ、レンティキュラーレンズ（かまぼこ状レンズ）、ボールレンズ等の曲面から成るレンズを配列して形成され、配列周期は規則的であっても不規則であってもよい。
【００２１】
また本発明は、上記構成のバックライトにおいて、前記拡散シートのヘイズ値を７０％以上にしたことを特徴としている。
【００２２】
また本発明は、上記構成のバックライトにおいて、前記レンズアレイはレンティキュラーレンズまたは半球レンズを配列して成ることを特徴としている。この構成によると、レンズアレイが成形加工により一体に形成可能になる。
【００２３】
また本発明は、上記構成のバックライトにおいて、前記基板の被照明体側の面に前記レンズアレイを形成するとともに、前記光源側の面を非光沢面にしたことを特徴としている。この構成によると、透光性の基板に入射する光が入射時に非光沢面で拡散される。
【００２４】
また本発明は、上記構成のバックライトにおいて、前記基板の両面に前記レンズアレイを設けたことを特徴としている。この構成によると、透光性の基板に入射する光が入射時にレンズアレイで拡散される。
【００２５】
また本発明は、上記構成のバックライトにおいて、前記基板の厚みを１ｍｍ以上にしたことを特徴としている。
【００２６】
また本発明の液晶表示装置は、上記各構成のバックライトを液晶パネルから成る被照明体の受光面に前記光源が対峙するように配置したことを特徴としている。
【００２７】
【発明の実施の形態】
以下に本発明の実施形態を図面を参照して説明する。説明の便宜上、従来例の図２１と同一の部分については同一の符号を付している。図１は第１実施形態の液晶表示装置を示す概略側面図である。液晶表示装置１は液晶パネル２の背面側にバックライト３を配して構成されている。液晶パネル２はマトリクス状に配列された画素電極と、画素電極に対向する対向電極との間に液晶が充填されている。所定の画素電極と対向電極間に電圧を印加することによって液晶が光を透過して画像が表示される。
【００２８】
バックライト３は光源４、反射板５、基板８及び拡散シート７を有している。光源４は所定周期で配された複数の柱状の蛍光管４ａから成っている。反射板５は光源４の背面側に配され、光源４の出射光を反射して液晶パネル２に導くようになっている。
【００２９】
基板８は透明なガラスや樹脂等により板状に形成されて透光性を有しており、変形しないためバックライト３に容易に組み込むことができるようになっている。基板８の液晶パネル２側の面にはレンズアレイ８ａが形成されている。図２に基板８の斜視図を示すと、レンズアレイ８ａは、蛍光管４ａの長手方向に延びたシリンドリカル面を有するレンティキュラーレンズ（かまぼこ状レンズ）８ｄを所定の周期ｄで配列して構成されている。レンティキュラーレンズ８ｄを有する基板８は成形加工によって容易に形成することができる。
【００３０】
また、図３に示すように、基板８の裏面はすりガラス状の非光沢面８ｂから成り、入射光が拡散透過するようになっている。非光沢面８ｂはシボ加工やサンドブラスト加工等により形成することができる。拡散シート７は、拡散材を保持した透光性の樹脂製シートから成り、基板８の透過光を拡散する。
【００３１】
上記構成の液晶表示装置１において、図４に示すように、光源４（蛍光管４ａ）から出射される光は、反射板５（図１参照）で反射した光とともに基板８に入射する。基板８の非光沢面８ｂ（図３参照）で拡散した光はレンズアレイ８ａから出射され、図５に示すように周期ｄ毎に集光される。集光した光はその後広がって進行し、拡散シート７で更に拡散されて液晶パネル２を照明する。
【００３２】
従って、従来の拡散板６（図２１参照）を用いないので拡散板６内の粒子で反射屈折を繰り返すことによる光強度の減衰を防止することができるとともに、遮光印刷による輝度の低下を防止することができる。これによりバックライト３の照明効率を向上させることができる。また、レンズアレイ８ａが基板８に一体に形成されるため屈折率の異なる界面での屈折や反射が生じず、光強度の減衰を抑制することができる。
【００３３】
また、基板８に対して斜め方向に入射する光は、図６に示すように、レンズアレイ８ａによって周期ｄ毎に集光され、その後広がって斜め方向に進行する。このため、液晶表示装置１を斜め方向から観察した場合であっても、レンズアレイ８ａ及び拡散シート７で拡散された光により照明された液晶パネル２の画像を観察できるので、輝度ムラの発生を防止することができる。
【００３４】
尚、基板８は透明であるため光を拡散する粒子を有した不透明な拡散板６（図２１参照）よりも透過後の光の輝度ムラが大きくなる。しかし、拡散シート７を設けると、基板８の出射光の一部は拡散シート７の裏面や拡散シート７に設けられる拡散材等で反射して基板８に再入射する。この光は基板８での屈折や反射板５での反射によって元の出射位置と異なる位置から再度出射される。
【００３５】
従来の拡散板６（図２１参照）に再入射した光は拡散板内の粒子により反射屈折を繰り返すため光強度が減衰して再出射される光が減少する。従って、基板８と拡散シート７とを設けることによって拡散シート７による拡散と基板８からの再出射による拡散とが生じ、従来よりも輝度ムラを低減することができる。この時、拡散シート７による拡散が少ないと再出射があっても従来よりも輝度ムラが大きくなるが、ヘイズ値が７０％以上であれば従来よりも輝度ムラを低減することができる。
【００３６】
また、板状に形成される基板８の厚みを１ｍｍ以上にするとより望ましい。このようにすると、光源４の出射光を充分に放射状に広げてから拡散シート７に到達させることができる。更に、拡散シート７で反射して基板８に再入射する光が元の出射位置の近傍から離れた位置まで導波させることができる。このため、元の出射位置と再出射される位置との距離を離してバックライト１の出射光をより拡散させることができる。
【００３７】
次に、図７は第２実施形態の液晶表示装置の基板を示す斜視図である。説明の便宜上、前述の図１〜図３に示す第１実施形態と同様の部分には同一の符号を付している。第１実施形態と異なる点は、基板８のレンズアレイ８ａが半球レンズ８ｅを互いに直交する方向に所定の周期ｅ１、ｅ２で正方格子状に配列して構成され、成形加工等により形成されている。その他の部分は第１実施形態と同一である。
【００３８】
本実施形態によると、基板８の出射光は半球レンズ８ｅによって周期ｅ１、ｅ２毎に集光され、その後広がって進行する。従って、第１実施形態と同様の効果を得ることができる。また、半球レンズ８ｅを三角格子状に配列してもよく、不規則な周期で配列してもよい。
【００３９】
次に、図８は第３実施形態の液晶表示装置の基板のレンズアレイを示す要部詳細図である。説明の便宜上、前述の図１〜図３に示す第１実施形態と同様の部分には同一の符号を付している。第１実施形態と異なる点は、基板８のレンズアレイ８ａが蛍光管４ａ（図１参照）の長手方向に延びたシリンドリカル面を有する凹レンズ８ｆを所定周期ｄで配列して成形加工等により形成されている。その他の部分は第１実施形態と同一である。
【００４０】
本実施形態によると、基板８の出射光は周期ｄ毎に凹レンズ８ｆによって発散する。また、図９に示すように、基板８に斜め方向から入射する光も同様に凹レンズ８ｆによって発散する。従って、第１実施形態と同様の効果を得ることができる。尚、本実施形態は、凹レンズ８ｆの境界の凸部Ｅ（図８参照）が尖鋭になるため、熱や傷により変形し易い。このため、凸となる部分が滑らかな曲面から成るレンズアレイを有した第１、第２実施形態の方が変形を回避できるのでより望ましい。
【００４１】
次に、図１０は第４実施形態の液晶表示装置の基板のレンズアレイを示す要部詳細図である。説明の便宜上、前述の図１〜図３に示す第１実施形態と同様の部分には同一の符号を付している。本実施形態の基板８は、透明なガラスや樹脂等から成る平板状の基板８ｈ上に透明なビーズから成るボールレンズ８ｇが配列される。ボールレンズ８ｇを接着剤９により基板８ｈに固着してレンズアレイ８ａが形成されている。接着剤９は透明の紫外線硬化型樹脂等から成り、ボールレンズ８ｇと略等しい屈折率を有している。その他の部分は第１実施形態と同一である。
【００４２】
本実施形態によると、基板８の出射光はボールレンズ８ｇによって周期ｄ毎に集光した後、広がって進行する。また、基板８に斜め方向から入射する光も同様にボールレンズ８ｇによって集光後広がって進行する。従って、第１実施形態と同様の効果を得ることができる。
【００４３】
ボールレンズ８ｇは不規則に配列してもよく、散布して重なってもよい。尚、本実施形態はボールレンズ８ｇの接着工程を要する。このため、成形加工により容易に基板８を形成できる第１、第２実施形態の方が工数を削減できるのでより望ましい。
【００４４】
次に、図１１は第５実施形態の液晶表示装置の基板を示す背面斜視図である。説明の便宜上、前述の図１〜図３に示す第１実施形態と同様の部分には同一の符号を付している。第１実施形態と異なる点は、基板８の裏面にガラスや樹脂等から成る球状の透明なビーズから成るボールレンズ８ｃが散布される。ボールレンズ８ｃを接着剤（不図示）により固着してレンズアレイが形成されている。その他の部分は第１実施形態と同一である。
【００４５】
本実施形態によると、基板８の入射光はボールレンズ８ｃから成るレンズアレイにより屈折して集光した後、拡散シート７（図１参照）側のレンズアレイ８ａにより集光後広がって進行する。従って、第１実施形態と同様の効果を得ることができる。尚、第２〜第４実施形態の基板８の裏面に同様にボールレンズ８ｃを散布してレンズアレイを構成してもよい。また、基板１の裏面にレンティキュラーレンズや半球レンズを配してもよい。
【００４６】
第１〜第５実施形態において、レンズアレイ８ａを基板８の液晶パネル側２に設けているが、光源４側に設けてもよく、第４実施形態と同様に基板８の両面に設けてもよい。また、光源４は一文字状の蛍光管４ａを複数並設して構成されているが、図１８、図１９、図２０に示すように、線状の蛍光管４ａをコ字型やＵ字型に屈曲して光源４を構成してもよい。
【００４７】
また、バックライト３により液晶パネル２を照明する液晶表示装置について説明しているが、屋外の照明看板やレントゲン等の写真を照明する表示装置に同様のバックライト３を用いても同様の効果を得ることができる。
【００４８】
【実施例】
以下に本発明の実施例を説明する。図１２〜図１７は前述の図１に示す第１実施形態に係る液晶表示装置１の照明光の輝度分布について説明する図である。図１２は反射シート５を配した状態の光源４の出射光の輝度分布を示している。図１３は更に基板８を配した状態の出射光の輝度分布を示している。
【００４９】
図１４、図１５は更に２種の拡散シート７をそれぞれ設置した状態のバックライト３の出射光の輝度分布を示している。図１６、図１７は図１４と同じ状態で斜め方向から見た出射光の輝度分布を示している。これらの図において縦軸は輝度比（単位：％）を示し、横軸は蛍光管４ａの周期方向の位置（単位：ｍｍ）を示している。
【００５０】
尚、液晶パネル２のサイズは２０インチであり、これに対応したサイズのバックライト３を使用して８本の蛍光管４ａ（スタンレー（株）製、外径２６ｍｍ）を周期ａ＝３８ｍｍで配置している。基板８の厚みを５ｍｍとし、レンティキュラーレンズ８ｄの直径及び周期ｄを０．０７５ｍｍにした。また、反射シート５は東レ（株）製ルミラー（Ｒ）Ｅ６０Ｌを用いて基板８との距離ｂ（図１参照）を１６ｍｍにしている。
【００５１】
図１４における拡散シート７は、（株）きもと製ライトアップ（Ｒ）１００ＰＢＳを用いている。図１５における拡散シート７は、更にその上方に恵和商工（株）製オパルス（Ｒ）＃１００−ＫＢＳＩＩを配置している。従って、前述の図２
２〜図２４の測定結果を有する従来例と、図１３〜図１５の測定結果を有する本実施例とは拡散板６（図２１参照）に替えて基板８を設けている点が異なるだけである。
【００５２】
図１２によると、光源４によって蛍光管４ａの配列周期ａと同じ周期で明るい部分を有する光が出射される。基板８を透過した光はレンズアレイ８ａによって広がって進行する。これにより、図１３に示すように、光源４の輝度ムラが改善される。そして、図１４、図１５に示すように、基板８及び拡散シート７を通過後の光は実用可能な程度まで輝度ムラが小さくなっている。
【００５３】
この時、本実施例の図１３と従来例の図２２とを比較すると本実施例の方が輝度ムラが大きいが、本実施例の図１５と従来例の図２４とを比較すると本実施例の方が輝度ムラが小さくなっている。従って、前述したように拡散シート７で反射して基板８から再度出射される光による拡散の効果が大きいと考えられる。
【００５４】
また、図１６、図１７はそれぞれ図１４と同じ構成のバックライト３の法線方向に対して３０゜及び６０゜の方向から見たときのバックライト３の出射光の輝度分布を示している。これらの図によると、斜め方向から観察した場合にも輝度ムラが小さく液晶表示装置１の画質を向上させることができる。
【００５５】
【発明の効果】
本発明によると、バックライトがレンズアレイを有する透光性の基板と拡散シートとを備えるので、従来の拡散板内の粒子により反射屈折を繰り返して光強度が減衰することがなく、拡散板に設けられる遮光印刷による輝度の低下を防止することができる。従って、バックライトの照明効率を向上させることができる。
【００５６】
また、バックライトを斜め方向から観察した場合であっても、レンズアレイにより光が広がるので輝度ムラの発生を防止することができる。更に、拡散シートで反射する光が基板から再度出射されるため従来よりも輝度ムラを低減することができる。加えて、拡散板の遮蔽印刷を省略できるとともに、基板が透明なガラスや樹脂等により板状に形成されるので変形しないためバックライトに容易に組み込むことができる。
【００５７】
また本発明によると、拡散シートのヘイズ値を７０％以上にしているので輝度ムラの少ないバックライトを容易に実現することができる。
【００５８】
また本発明によると、レンズアレイはレンティキュラーレンズまたは半球レンズを配列して成るので、成形加工によって基板を容易に形成することができる。
【００５９】
また本発明によると、基板の被照明体側の面にレンズアレイを形成するとともに、光源側の面を非光沢面にしているので、バックライトの輝度ムラをより低減することができる。
【００６０】
また本発明によると、基板の両面にレンズアレイを設けるので、バックライトの輝度ムラをより低減することができる。
【００６１】
また本発明によると、基板を厚みが１ｍｍ以上の板状に形成しているので、光源の出射光を充分に放射状に広げてから拡散シートに到達させることができる。更に、拡散シートで反射し、基板に再入射して導波される光の元の出射位置と再出射される位置との距離を離すことができる。従って、バックライトの出射光をより拡散させることができる。
【図面の簡単な説明】
【図１】本発明の第１実施形態の液晶表示装置を示す概略側面図である。
【図２】本発明の第１実施形態の液晶表示装置のバックライトの基板を示す斜視図である。
【図３】本発明の第１実施形態の液晶表示装置のバックライトの基板を示す背面斜視図である。
【図４】本発明の第１実施形態の液晶表示装置のバックライトを通る光を示す斜視図である。
【図５】本発明の第１実施形態の液晶表示装置のバックライトの基板の要部詳細図である。
【図６】本発明の第１実施形態の液晶表示装置のバックライトの基板の要部詳細図である。
【図７】本発明の第２実施形態の液晶表示装置のバックライトの基板を示す斜視図である。
【図８】本発明の第３実施形態の液晶表示装置のバックライトの基板を示す要部詳細図である。
【図９】本発明の第３実施形態の液晶表示装置のバックライトの基板を示す要部詳細図である。
【図１０】本発明の第４実施形態の液晶表示装置のバックライトの基板を示す要部詳細図である。
【図１１】本発明の第５実施形態の液晶表示装置のバックライトの基板を示す背面斜視図である。
【図１２】本発明の第１実施形態の液晶表示装置のバックライトの光源の出射光の輝度分布を示す図である。
【図１３】本発明の第１実施形態の液晶表示装置のバックライトの基板の出射光の輝度分布を示す図である。
【図１４】本発明の第１実施形態の液晶表示装置のバックライトの拡散シートの出射光の輝度分布を示す図である。
【図１５】本発明の第１実施形態の液晶表示装置のバックライトの拡散シートの出射光の輝度分布を示す図である。
【図１６】本発明の第１実施形態の液晶表示装置のバックライトの拡散シートの斜め方向の出射光の輝度分布を示す図である。
【図１７】本発明の第１実施形態の液晶表示装置のバックライトの拡散シートの斜め方向の出射光の輝度分布を示す図である。
【図１８】本発明の第１実施形態の液晶表示装置の他の光源を示す平面図である。
【図１９】本発明の第１実施形態の液晶表示装置の他の光源を示す平面図である。
【図２０】本発明の第１実施形態の液晶表示装置の他の光源を示す平面図である。
【図２１】従来の液晶表示装置を示す概略側面図である。
【図２２】従来の液晶表示装置のバックライトの基板の出射光の輝度分布を示す図である。
【図２３】従来の液晶表示装置のバックライトの拡散シートの出射光の輝度分布を示す図である。
【図２４】従来の液晶表示装置のバックライトの拡散シートの出射光の輝度分布を示す図である。
【符号の説明】
１　　液晶表示装置
２　　液晶パネル
３　　バックライト
４　　光源
５　　反射シート
６　　拡散板
７　　拡散シート
８　　基板
８ａ　レンズアレイ
８ｄ　レンティキュラーレンズ
８ｅ　半球レンズ
８ｆ　凹レンズ
８ｇ　ボールレンズ
９　　接着剤
【図１】
2004006256.tif 000003
【図２】
2004006256.tif 000004
【図３】
2004006256.tif 000005
【図４】
2004006256.tif 000006
【図５】
2004006256.tif 000007
【図６】
2004006256.tif 000008
【図７】
2004006256.tif 000009
【図８】
2004006256.tif 000010
【図９】
2004006256.tif 000011
【図１０】
2004006256.tif 000012
【図１１】
2004006256.tif 000013
【図１２】
2004006256.tif 000014
【図１３】
2004006256.tif 000015
【図１４】
2004006256.tif 000016
【図１５】
2004006256.tif 000017
【図１６】
2004006256.tif 000018
【図１７】
2004006256.tif 000019
【図１８】
2004006256.tif 000020
【図１９】
2004006256.tif 000021
【図２０】
2004006256.tif 000022
【図２１】
2004006256.tif 000023
【図２２】
2004006256.tif 000024
【図２３】
2004006256.tif 000025
【図２４】
2004006256.tif 000026